【事件の表示】
　特願２００２−　４１３４３「画像処理方法および装置並びにプログラム」拒絶査定不服審判事件〔平成１５年　８月２９日出願公開、特開２００３−２４４６２０〕について、次のとおり審決する。
【結　論】
　本件審判の請求は、成り立たない。
【理　由】
１．経緯等
（１）経緯
　本件出願は、平成１４年２月１９日の出願であって、平成１８年９月２９日付けで拒絶理由の通知がなされ、これに対し、平成１８年１２月４日付けで手続補正がなされたが、平成１９年６月５日付けで拒絶査定がなされたものである。
　本件は、上記拒絶査定を不服として平成１９年７月１２日付けで請求された拒絶査定不服審判であって、平成１９年７月２５日付けで手続補正（明細書又は図面について請求の日から３０日以内にする補正）がなされたものである。
　
（２）査定
　拒絶査定の理由は、概略次のようなものである。
　
　本件出願の請求項１から９に係る発明は、その出願前日本国内において頒布された下記刊行物に記載された発明に基づいて、その出願前にその発明の属する技術の分野における通常の知識を有する者が容易に発明をすることができたものであるから、特許法第２９条第２項の規定により特許を受けることができない。
　　　　　　　　　　　　　　　記
　刊行物１：特開２００１−２３８１２９号公報
　刊行物２：特開２００１−２３８１７７号公報
　刊行物３：特開２００１−１８６２９７号公報
　刊行物４：特開２００１−２２２７１０号公報
　　　　　　（査定時に周知例として引用）
　刊行物５：特開平１１−８６０２１号公報
　　　　　　（査定時に周知例として引用）
　
２．補正却下の決定
　平成１９年７月２５日付けの手続補正について次のとおり決定する。
　
〈補正却下の決定の結論〉
　平成１９年７月２５日付けの手続補正を却下する。
　
〈補正却下の決定の理由〉
（１）補正の内容
　平成１９年７月２５日付けの手続補正（以下、本件補正という）は、特許請求の範囲を補正する補正であって、請求項１についてする次の補正事項（以下、「本件補正事項」ともいう）を含むものである。
　
（補正前）
「【請求項１】
　デジタルカメラにより取得された画像データに対して画像処理を施して処理済み画像データを得る画像処理方法において、
　撮影情報取得手段が、前記画像データを取得した撮影時のフラッシュのＯｎ／Ｏｆｆ、撮影距離および撮影倍率の少なくとも１つを含む撮影情報を取得し、
　主要部情報取得手段が、前記画像データにより表される画像における顔の有無および顔が含まれる場合の顔のサイズの情報を含む主要部情報を取得し、
　階調処理条件設定手段が、前記撮影情報および前記主要部情報に基づいて推定された前記画像データの撮影シーンに応じた階調処理条件を設定し、
　画像処理手段が、該設定された階調処理条件にしたがって前記画像データに対して画像処理を施して前記処理済み画像データを得ることを特徴とする画像処理方法。」
を
（補正後）
「【請求項１】
　デジタルカメラにより取得された画像データに対して画像処理を施して処理済み画像データを得る画像処理方法において、
　撮影情報取得手段が、前記画像データを取得した撮影時のフラッシュのＯｎ／Ｏｆｆ、撮影距離および撮影倍率を含む撮影情報を取得し、
　主要部情報取得手段が、前記画像データにより表される画像における顔の有無および顔が含まれる場合の顔のサイズの情報を含む主要部情報を取得し、
　階調処理条件設定手段が、前記撮影情報および前記主要部情報に基づいて推定された前記画像データの撮影シーンに応じた階調処理条件を設定し、
　画像処理手段が、該設定された階調処理条件にしたがって前記画像データに対して画像処理を施して前記処理済み画像データを得ることを特徴とする画像処理方法。」
と補正する。
　
　上記本件補正事項は、「撮影情報取得手段が、」「取得（し、）」する「撮影情報」が「前記画像データを取得した撮影時のフラッシュのＯｎ／Ｏｆｆ、撮影距離および撮影倍率」「を含む」ことについて、「少なくとも１つを含む」（補正前）としていたところを、「少なくとも１つ」を削除し、単に「を含む」（補正後）とする補正である。
　
（２）補正の適法性
　本件補正事項における補正前の態様は、「少なくとも１つを含む」とされるのであるから、「撮影情報取得手段が、」「取得」する「撮影情報」が「前記画像データを取得した撮影時の」情報である「フラッシュのＯｎ／Ｏｆｆ」「撮影距離」「撮影倍率」のいずれか１つを含めばよい態様であって、「フラッシュのＯｎ／Ｏｆｆ」「撮影距離」「撮影倍率」の種々の組み合わせの態様を包含するものであるところ、補正後の、単に「を含む」は、「フラッシュのＯｎ／Ｏｆｆ」「撮影距離」「撮影倍率」のいずれをも含む態様をいうものであるから、補正後の態様は、補正前の種々の組み合わせの態様のうちの「フラッシュのＯｎ／Ｏｆｆ」「撮影距離」「撮影倍率」のいずれをも含む態様だけを限定するものといえる。したがって、本件補正事項は、請求項に記載した発明を特定するために必要な事項を限定するものと認められるので、上記請求項１についてする補正は、特許請求の範囲の減縮を目的とする。そこで、独立特許要件について検討する。
　
　ア．補正後発明
　本件補正後の特許請求の範囲の請求項１に係る発明（以下、補正後発明という）は、本件補正後の特許請求の範囲の請求項１に記載されたとおりの次のものであると認める。
　
［補正後発明］
「デジタルカメラにより取得された画像データに対して画像処理を施して処理済み画像データを得る画像処理方法において、
　撮影情報取得手段が、前記画像データを取得した撮影時のフラッシュのＯｎ／Ｏｆｆ、撮影距離および撮影倍率を含む撮影情報を取得し、
　主要部情報取得手段が、前記画像データにより表される画像における顔の有無および顔が含まれる場合の顔のサイズの情報を含む主要部情報を取得し、
　階調処理条件設定手段が、前記撮影情報および前記主要部情報に基づいて推定された前記画像データの撮影シーンに応じた階調処理条件を設定し、
　画像処理手段が、該設定された階調処理条件にしたがって前記画像データに対して画像処理を施して前記処理済み画像データを得ることを特徴とする画像処理方法。」
　
　イ．刊行物
　特開２００１−２３８１７７号公報（以下、刊行物２という）には、図面と共に次の記載がある。
　
（刊行物２の記載）
「【０００１】
【発明の属する技術分野】本発明は、撮影日時等の撮影情報や、撮影位置情報や、撮影方位情報や、撮影倍率情報や、もしくはメッセージ情報などのカメラ情報を利用した画像処理方法および装置に関する。また、本発明は、フィルムの画像を光電的に読み取り、またはデジタル画像を直接受信し、この画像が再現された（写真）プリントや再現画像データが記録された画像データ記録媒体（以下、単に画像記録媒体という）を得、またネット配信などを行うデジタルフォトプリンタ等に利用される画像処理方法および装置に関する。」
　
「【００１４】本発明は、前記従来技術の問題に鑑みてなされたものであり、撮影シーンを推定し、該推定された撮影シーンに応じて、最適な階調制御を行い、高画質なプリントを得ることのできる画像処理方法および装置を提供することを第１の課題とする。また、本発明は、前記従来技術の問題に鑑みてなされたものであり、撮影シーンのシミュレーション画像を作成し、作成されたシミュレーション画像を用い、ゴミや傷やノイズなどの修復、濃度むらやボケの補正、不要物の除去を効率的に行うことができる画像処理方法および装置を提供することを第２の課題とする。
【００１５】さらに、本発明は、前記従来技術の問題に鑑みてなされたものであり、撮影者に画質向上について意識させることなく、撮影シーンに関する画像への付加情報を利用して高画質な画像を得ることのできる画像処理方法および装置を提供することを第３の課題とする。
【００１６】
【課題を解決するための手段】上記第１〜第３の課題を解決するために、本発明は、カメラにおいて撮影された被写体の撮影シーンのデジタル画像データを取得するとともに、前記被写体の撮影時に前記カメラにおいて取得または入力された前記撮影シーンのカメラ情報を取得し、または、前記カメラ情報に加えて、取得された撮影シーンの前記デジタル画像データおよび前記カメラ情報の少なくとも一方に基づいて、この撮影シーンに関連する関連情報を取り込み、前記撮影シーンの前記カメラ情報および前記関連情報の少なくとも一方、またはこの少なくとも一方と撮影シーンの前記デジタル画像データとの組み合せにより、前記撮影シーンの推定を行い、推定された前記撮影シーンに応じた所定の画像処理を前記デジタル画像データに対して行うことを特徴とする画像処理方法を提供するものである。」
　
「【００２８】また、上記第３の課題を解決するために、本発明の第３の態様の画像処理方法においては、前記撮影シーンのカメラ情報は、前記カメラにおいて取得または入力され、前記撮影シーンの前記デジタル画像データに付与される前記撮影シーンに関連するメッセージ情報であり、前記撮影シーンの推定は、前記メッセージ情報の内容から撮影シーンを推定することであり、前記所定の画像処理は、この推定された撮影シーンに応じて設定された画像処理条件による画像処理であるのが好ましい。
【００２９】すなわち、本発明の第３の態様は、撮影シーンに関連するメッセージ情報を画像に付与し、前記画像と前記メッセージ情報を取得し、該メッセージ情報の内容から撮影シーンを推定し、推定された撮影シーンに応じて、画像処理条件を設定することを特徴とする画像処理方法を提供するものである。ここで、前記メッセージ情報は、音声入力情報および文書入力情報の少なくとも一方であるのが好ましい。また、前記メッセージ情報に、撮影時のカメラ撮影情報、画像特徴量または主要被写体情報のいずれかを組み合わせて撮影シーンの推定を行うのが好ましい。」
　
「【００４３】
【発明の実施の形態】本発明に係る画像処理方法および装置を添付の図面に示す好適実施形態に基づいて以下に詳細に説明する。本発明は、被写体の撮影時に、カメラにおいて取得されるＧＰＳ情報を含むカメラの撮影情報やカメラに付与されるメッセージ情報などのカメラ情報または撮影シーンの関連情報により、もしくはさらに撮影シーンの画像データを用いて、撮影シーンの推定を行い、推定された撮影シーンに応じた画像処理を行うものである。
【００４４】まず、本発明の第１の態様に係る画像処理方法および装置について、好適な実施形態を挙げて説明する。本実施形態は、人工衛星を用いたＧＰＳを利用し得るカメラを用いて取得されるＧＰＳ情報を含むカメラの撮影情報（カメラ情報）により、被写体シーンの推定（特定）を行い、被写体シーンに応じた色、階調制御を行うものである。しかし、本発明は本実施形態に限定されるわけではない。
【００４５】図１は、本発明の画像処理方法を実施する画像処理装置を適用するデジタルフォトプリンタの一実施例のブロック図である。図１に示されるデジタルフォトプリンタ１０は、基本的に、（写真）フィルムＦに撮影された画像を光電的に読み取るスキャナ（画像読取装置）１２と、本発明の画像処理方法を実施するとともに、読み取られた画像データ（画像情報）の画像処理や種々のデータ処理やデジタルフォトプリンタ１０全体の操作および制御等を行う画像処理装置１４と、画像処理装置１４から出力された画像データに応じて変調した光ビームで感光材料を画像露光し、現像処理して写真プリントとして出力するプリンタ１６とを有する。」
　
「【００５５】また、本発明では、ネガやリバーサル等のフィルムに撮影された画像を光電的に読み取るスキャナ１２以外にも、反射原稿の画像を読み取る画像読取装置、コンピュータ通信等の通信手段（モデムを介するものも含む）、デジタルカメラやデジタルビデオカメラ等の撮像デバイスや内蔵メモリ、ＰＣカードやスマートメディア等のデジタルカメラ用の画像記録媒体、ＦＤ（フロッピー（登録商標）ディスク）やＭＯ（光磁気記録媒体）等の汎用の画像記録媒体などの各種の画像データ供給源を利用することができ、これらを直接またはその駆動装置を介して画像処理装置１４に接続することができ、画像処理装置１４は、これらの画像データ供給源からデジタル画像データやその撮影情報や付加情報を受け取ることができる。なお、これらの画像データ供給源は、本発明の画像処理方法による処理済画像データの出力先としても機能する。
【００５６】特に、図１に示されるフォトプリンタ１０では、デジタルカメラ等で撮影して得られたデジタル画像データを記録したＰＣＭＣＩＡ（ＰＣカード）、ＡＴＡカード、コンパクトフラッシュ（登録商標）カード等のカードメモリやスマートメディア等のデジタルカメラ用画像記録媒体２５や、ＦＤ（フロッピーディスク）、ＣＤ−Ｒ（レコーダブルコンパクトディスク）、ＭＯ（マグネトオプティカルディスク）、ＤＶＤ（ディジタルバーサタイルディスク）やＺｉｐ等の汎用の画像記録媒体２５から画像データやを読み出し取得するとともに画像記録媒体２５に処理済画像データを記録して出力するためのドライブ装置２６が画像処理装置１４に接続されている。また、（パーソナル）コンピュータやデジタルカメラや他のデジタルフォトプリンタのスキャナや画像処理装置等の種々の画像データ供給源に直接ケーブル（例えば、ＲＳ２３２Ｃ）を介して接続して、あるいはインターネットなどの通信ネットワークを介して接続して、デジタル画像データやその付属情報である撮影情報や付加情報を取得するとともに処理済画像データを配信するためのスロット２７等が画像処理装置１４に配置される。
【００５７】なお、図示例では、入力信号（デジタル画像データおよび付属情報（撮影情報や付加情報））は、スキャナ１２やドライブ装置２６等の種々の画像データ供給源から画像処理装置１４に入力されるが、以下の説明では、主としてスキャナ１２から画像処理装置１４にデジタル画像データが供給される場合を代表例として説明する。
【００５８】画像処理装置１４は、スキャナ１２で読み取られ、デジタルデータとして、画像処理装置１４に送られてきた画像データに所定の画像処理を施し、プリンタ１６またはモニタ２０に出力するもので、そのブロック図が図２に示される。同図に示すように、画像処理装置１４は、データ処理部３８、プレスキャンメモリ４０、ファインスキャンメモリ４２、プレスキャン画像処理部４４、ファインスキャン画像処理部４６、条件設定部４８および撮影画像判定部６２から構成される。」
　
「【００８５】次に、位置情報により屋外での撮影ということがわかっているとき、被写体として人物を含む場合とそうでない場合において処理を分ける、本発明の第１の態様の第４実施形態について説明する。
【００８６】これは、ＧＰＳ情報等により撮影地が屋外であることが判明しているとき、被写体の特定により、人物でないと判定されているエリアについては、顔抽出処理を行わない（オフにする）または、顔抽出処理後にその抽出エリアを除外するといった手法により顔の誤抽出を防止するものである。このとき、人物でない、背景であると分かっているエリアについては、最初から顔抽出処理の対象から除外すれば、処理時間の短縮になる。これにより、従来のような空や地面等の部分において顔を誤抽出するという失敗を解消することができる。また、シーン特定により、顔抽出適用範囲を限定でき、演算時間を省略することができる。
【００８７】また、屋外で人物を撮影する場合に、季節や時間帯によって、被写体である人物の顔に当たる光線が強く、影が目立つことがある。このとき、顔として抽出されたエリアについて、影部分の明度を上げる、またはコントラストを緩和する様にする処理を行う。また、撮影位置情報と時間情報とから太陽光の方向を割り出し、被写体（人物、建物、自然）の影エリアの判定に利用することもできる。」
　
「【０１１６】次に、図６を参照して、本発明の第３の態様に係る画像処理方法および装置について、好適な実施形態を挙げて説明する。なお、図６に示すデジタルフォトプリンタ１１において、本発明の第３の態様の画像処理方法を実施することができる。図６に示すデジタルフォトプリンタ１１は、図１に示すデジタルフォトプリンタ１０と類似の構成を有するものであり、また、図６に示す画像処理装置１５は、図２に示す画像処理装置１４の代わりに図１に示すフォトプリンタ１０に用いることもできるものであり、画像処理装置１４と類似の構成を有するものであるので、同一の構成要素には、同一の参照符号を付し、その詳細な説明は省略する。」
　
「【０１２０】ここで、近年では、録音機能を備えるデジタル（スチル）カメラ（ＤＳＣ）も増えており、画像（画像ファイル）に、撮影時等に録音された音声データが付随している場合もある。また、デジタルビデオカメラで撮影された画像には、音声データが付随している。また、新写真システムのフィルムには、磁気記録媒体が形成されており、撮影時等に、各コマの磁気記録媒体に音声データを録音できるようにすることも可能である。
【０１２１】ここで、本態様は、カメラにおいて入力または取得されるカメラ情報として音声データなどを撮影シーンのメッセージ情報として用い、撮影シーンに関するメッセージ情報から撮影シーンを推定して、そのシーンに対応した画像処理を施すようにしたものである。このメッセージ情報としては、例えば、音声録音機能を有するデジタルカメラにおいて、撮影時に撮影者等によって発せられた音声を記録した音声データが例示される。すなわち、メッセージ情報は、必ずしもシーンそのものを示すものでなくともよく、美しい女性や花を見たときに思わず発する「わあきれい」という感動の言葉や、結婚式での撮影の際に発する「おめでとう」というお祝いの言葉等であってもよい。もちろん、被写体そのものを示す固有名詞でもよい。音声録音機能を有するデジタルカメラの場合、撮影者が言葉を発すれば、自動的に録音され、撮影者が特に意識していなくてもメッセージ情報が音声データとして入力される。
【０１２２】さらに、メッセージ情報は、音声データに限定されるものではなく、撮影時等において、撮影者が特に意識せず入力できるものであれば、文書データであってもよい。例えば、撮影時に、ストロボ発光の有無や撮影距離等から「室内」、「夜」、「風景」等のメッセージを、撮影者が意識することなく自動的に、フィルムの各コマ毎に記録されるようにしたものであってもよい。また、新写真システムに対応するカメラに録音機能を持たせる場合には、撮影時に、この磁気記録媒体に磁気情報として音声データを記録して、プリント作成時等に磁気情報を読み取ることで音声データを読み取って、画像処理装置１５に供給すればよい。
【０１２３】以下詳述するが、本実施形態においては、音声データの付随する画像を供給された場合に、その音声データであるメッセージ情報から、そのコマの撮影シーンを推定し、そのシーンに応じた画像処理をそのコマに対して施すようにする。」
　
「【０１２７】プレスキャン処理部４４の処理部５０と、ファインスキャン処理部４６の処理部５４は、後述する条件設定部４８が設定した処理条件に応じて、スキャナ１２によって読み取られた画像（画像データ）に、所定の画像処理を施す部位で、両者は、解像度が異なる以外は、基本的に、同じ処理を行う。両処理部による画像処理には特に限定はなく、公知の各種の画像処理が例示されるが、例えば、ＬＵＴ（ルックアップテーブル）を用いたグレイバランス調整、階調補正および濃度（明るさ）調整、マトリクス（ＭＴＸ）による撮影光源種補正や画像の彩度調整（色調整）、その他ローパスフィルタ、加算器、ＬＵＴ、ＭＴＸ等を用いた、また、これらを適宜組み合わせた平均化処理や補間演算等を用いた、電子変倍処理、覆い焼き処理（濃度ダイナミックレンジの圧縮／伸長）、シャープネス（鮮鋭化）処理等が例示される。これらの各画像処理条件は、条件設定部４８においてプレスキャンデータを用いて設定される。
【０１２８】画像データ変換部５８は、処理部５４によって処理された画像データ（主プリントの画像データ）を、例えば３Ｄ（三次元）ＬＵＴ等を用いて変換して、プリンタ１６による画像記録に対応する画像データとしてプリンタ１６に供給する。画像データ変換部５２は、プレスキャン処理部４４の処理部５０によって処理された画像データを、必要に応じて間引いて、同様に３Ｄ−ＬＵＴ等を用いて変換して、モニタ２０による表示に対応する画像データとしてモニタ２０に供給する。ここでの処理条件は、プレスキャンデータを用いて条件設定部４８で設定される。
【０１２９】条件設定部４８は、ファインスキャンの読取条件や、プレスキャン処理部４４およびファインスキャン処理部４６における各種の処理条件を設定する。この条件設定部４８は、セットアップ部７２、キー補正部７４およびパラメータ統合部７６を有する。
【０１３０】セットアップ部７２は、プレスキャンデータから、濃度ヒストグラムの作成や、平均濃度、ハイライト、シャドー等の画像特徴量の算出等を行い、ファインスキャンの読取条件を決定し、また、濃度ヒストグラムや画像特徴量に加え、オペレータによる指示等に応じて、グレイバランス調整、階調補正および濃度調整を行うＬＵＴの作成、ＭＴＸ演算式の作成、鮮鋭度補正係数の算出等、プレスキャン処理部４４およびファインスキャン処理部４６における各種の画像処理条件を設定し、パラメータ統合部７６に供給する。
【０１３１】キー補正部７４は、キーボード１８ａに設定された濃度（明るさ）、色、コントラスト、シャープネス、彩度等を補正するキーやマウス１８ｂで入力された各種の指示等に応じて、画像の補正量を算出し、パラメータ統合部７６に供給するものである。パラメータ統合部７６は、セットアップ部７２が設定した画像処理条件を受け取り、プレスキャン処理部４４およびファインスキャン処理部４６の所定部位に設定し、さらに、キー補正部７４で算出された補正量に応じて、プレスキャン処理部４４およびファインスキャン処理部４６において、画像処理条件の補正（調整）、画像処理条件の再設定、補正を行うための画像処理条件の設定等を行う。
【０１３２】ここで、本発明に係る画像処理方法を利用するフォトプリンタ１１においては、そのコマ（画像）にシーンに関するメッセージ情報が付随されたものである場合には、前述の処理部５４（５０）における画像処理条件は、メッセージ情報に応じて、そのシーンの画像が適正に仕上がるように設定される。このメッセージ情報から推定されるシーンに対応した画像処理条件の設定は、例えば、図６に示すように、セットアップ部７２中に、シーンに応じた画像処理条件の情報を記憶している処理情報記憶部７０を設けておき、そこからそのシーンに応じた画像処理条件の情報を読み出して、これを用いて画像処理条件を設定するようにしてもよい。
【０１３３】メッセージ情報から得られるシーンに応じた画像処理条件には、特に限定はなく、各種のシーンに応じて、出力されたプリントに再生された画像が好適に仕上がるように、適宜設定すればよい。また、前述したように、メッセージ情報からの撮影シーンの推定は、音声データ処理部８０において行われる。これは、例えば、各種の言葉とその言葉に対応するシーンとをラボでデータベースとして、持っておき、音声データ中の言葉と対比させてシーンを推定すればよい。例えば、○○山、とか○○が原等の言葉があり、また撮影距離（被写体距離）が遠ければ、「風景」であるとし、具体的な花の名前等があり、撮影距離が短ければ、「花」を撮影したものであるとし、また、着物、初詣、お年玉等のお正月関連の言葉があり、撮影時期が正月付近であれば「正月の晴れ着」を撮影したものであるとしたり、あるいは、新郎新婦、おめでとう等の言葉があれば結婚式で、室内での撮影であると推定する。また、具体的に人物の名前が呼ばれている場合、人物を撮影したものと推定する。また、シーンの推定にあたり、メッセージ情報の他に、カメラ撮影情報（撮影日時、時刻、撮影倍率、距離、輝度等、あるいはＧＰＳによる位置情報等）や各種画像特徴量（顔抽出結果も含む）等と組み合わせて、シーンの推定を行うようにするとよりシーン推定の確度が向上する。
【０１３４】画像処理条件としては、例えば、メッセージ情報から人物を撮影したものと推定された場合には、セットアップ部７２は、顔抽出を行って人物の顔を抽出し、特に、顔領域の肌色が美しく仕上がるように、各種の画像処理条件を設定する。一般に、固有名詞がある場合には、主要被写体抽出を行うようにする。ここで、顔領域の抽出方法には、特に限定はなく、公知の顔抽出アルゴリズムを用いることができる。また、「正月の晴れ着」のシーンとされていれば、顔抽出した後、顔の下の胴体部分の着物の鮮やかさを強調するようにする。また、シーンが「花」とされている場合には、やはり鮮やかさを強調する。また、シーンが「結婚式」とされている場合には、撮影距離から室内と推定される場合は、異種光源処理を強めて、ストロボ光が反射する金屏風対策とし、顔の誤抽出を防ぐことが可能となる。また、人物に対する処理条件は、上記と同様である。
【０１３５】また、その他、例えばシーンが「風景」とされた場合には、光源種補正を行わず、かつ緑や空が美しく仕上がるように、グレーバランス補正テーブルや彩度補正のＭＴＸ演算式等を設定する。また、シーンが「夜景」や「花火」とされた場合には、コントラストの高い明暗を強調した画像となるように、階調補正テーブル等を設定する。さらに、シーンが「室内」とされた場合は上記結婚式の場合と同様に、光源種補正を強めに掛けるようにし、彩度補正のＭＴＸ演算式等を設定する。」
（刊行物２の記載、以上）
　
　上記刊行物２の記載によると、
　
　「本発明の画像処理方法を実施する画像処理装置」（【００４５】）について、
　「主としてスキャナ１２から画像処理装置１４にデジタル画像データが供給される場合を代表例として説明する。」（【００５７】）、
　「画像処理装置１４は、スキャナ１２で読み取られ、デジタルデータとして、画像処理装置１４に送られてきた画像データに所定の画像処理を施し、プリンタ１６またはモニタ２０に出力する」（【００５８】）、
　「デジタルカメラやデジタルビデオカメラ等の撮像デバイスや内蔵メモリ、ＰＣカードやスマートメディア等のデジタルカメラ用の画像記録媒体、・・・などの各種の画像データ供給源を利用することができ、・・・画像処理装置１４は、これらの画像データ供給源からデジタル画像データやその撮影情報や付加情報を受け取ることができる。」（【００５５】）
　とあるから、
　刊行物２には、
「デジタルカメラやデジタルビデオカメラ等の撮像デバイスや内蔵メモリ、ＰＣカードやスマートメディア等のデジタルカメラ用の画像記録媒体」「からデジタル画像データやその撮影情報や付加情報を受け取」り、「所定の画像処理を施」す「画像処理方法」が記載されている。
　
　「画像処理装置１４は、これらの画像データ供給源からデジタル画像データやその撮影情報や付加情報を受け取ることができる。」（【００５５】）、
　「入力信号（デジタル画像データおよび付属情報（撮影情報や付加情報））は、スキャナ１２やドライブ装置２６等の種々の画像データ供給源から画像処理装置１４に入力される・・・」（【００５７】）、
　「図６に示す画像処理装置１５は、図２に示す画像処理装置１４の代わりに図１に示すフォトプリンタ１０に用いることもできるもの」（【０１１６】）、
　「本態様は、カメラにおいて入力または取得されるカメラ情報として音声データなどを撮影シーンのメッセージ情報として用い、撮影シーンに関するメッセージ情報から撮影シーンを推定して、そのシーンに対応した画像処理を施すようにしたものである。」（【０１２１】）、
　「メッセージ情報は、音声データに限定されるものではなく、撮影時等において、撮影者が特に意識せず入力できるものであれば、文書データであってもよい。例えば、撮影時に、ストロボ発光の有無や撮影距離等から「室内」、「夜」、「風景」等のメッセージを、撮影者が意識することなく自動的に、フィルムの各コマ毎に記録されるようにしたものであってもよい。」（【０１２２】）、
　「シーンの推定にあたり、メッセージ情報の他に、カメラ撮影情報（撮影日時、時刻、撮影倍率、距離、輝度等、あるいはＧＰＳによる位置情報等）や各種画像特徴量（顔抽出結果も含む）等と組み合わせて、シーンの推定を行うようにするとよりシーン推定の確度が向上する。」（【０１３３】）、
　「シーンが「結婚式」とされている場合には、撮影距離から室内と推定される場合は、異種光源処理を強めて、ストロボ光が反射する金屏風対策とし、顔の誤抽出を防ぐことが可能となる。」（【０１３４】）
　とあるから、
　画像処理装置１５は、「メッセージ情報の他に、カメラ撮影情報（撮影日時、時刻、撮影倍率、距離、輝度等、あるいはＧＰＳによる位置情報等）や各種画像特徴量（顔抽出結果も含む）等と組み合わせて、シーンの推定を行う」ものである。
　画像処理装置１５が「シーンの推定」に用いる「メッセージ情報」は、「撮影時に、」「各コマ毎に記録される」「ストロボ発光の有無や撮影距離等から（記録される）「室内」、「夜」、「風景」等のメッセージ（文書データ）」であり、やはり、「シーンの推定」に用いるカメラ撮影情報（撮影日時、時刻、撮影倍率、距離、輝度等、あるいはＧＰＳによる位置情報等）も、それらのカメラ撮影情報が各コマの撮影のその時に得られる情報であることから、「メッセージ情報」と同じく「撮影時に、」「各コマ毎に記録される」ものと認められる。
　そうであるから、画像処理装置１５は「シーンの推定」に用いる「撮影時に、」「各コマ毎に記録され」た「メッセージ情報」「カメラ撮影情報（撮影日時、時刻、撮影倍率、距離、輝度等、あるいはＧＰＳによる位置情報等）」を取得するものと認められる。そして、「シーンが「結婚式」とされている場合には、撮影距離から室内と推定される場合は、・・・」（【０１３４】）とあることから、カメラ撮影情報に含まれる「距離」「等」には「撮影距離」が含まれると認められる。
　したがって、刊行物２記載の「画像処理方法」は、「シーンの推定」に用いる、「撮影時に」「各コマ毎に記録され」た、「ストロボ発光の有無や撮影距離等から（記録される）「室内」、「夜」、「風景」等のメッセージ（文書データ）」、「カメラ撮影情報（撮影日時、時刻、撮影倍率、距離（撮影距離）、輝度等、あるいはＧＰＳによる位置情報等）」を取得するものと認められる。
　
　「シーンの推定にあたり、メッセージ情報の他に、カメラ撮影情報（撮影日時、時刻、撮影倍率、距離、輝度等、あるいはＧＰＳによる位置情報等）や各種画像特徴量（顔抽出結果も含む）等と組み合わせて、シーンの推定を行うようにするとよりシーン推定の確度が向上する。」（【０１３３】）
　とあるから、
　画像処理装置１５は「シーンの推定」に用いる「顔抽出結果」を取得すると認められ、
　刊行物２記載の「画像処理方法」は、「シーンの推定」に用いる「顔抽出結果」を取得するものと認められる。
　
　「シーンの推定にあたり、メッセージ情報の他に、カメラ撮影情報（撮影日時、時刻、撮影倍率、距離、輝度等、あるいはＧＰＳによる位置情報等）や各種画像特徴量（顔抽出結果も含む）等と組み合わせて、シーンの推定を行うようにするとよりシーン推定の確度が向上する。」（【０１３３】）
　とあり、上記のように、刊行物２記載の「画像処理方法」は、
　「シーンの推定」に用いる、「撮影時に」「各コマ毎に記録され」た、「ストロボ発光の有無や撮影距離等から（記録される）「室内」、「夜」、「風景」等のメッセージ（文書データ）」、「カメラ撮影情報（撮影日時、時刻、撮影倍率、距離（撮影距離）、輝度等、あるいはＧＰＳによる位置情報等）」を取得するものであり、
　「シーンの推定」に用いる「顔抽出結果」を取得するものであるから、
　刊行物２記載の「画像処理方法」は、「ストロボ発光の有無や撮影距離等から（記録される）「室内」、「夜」、「風景」等のメッセージ（文書データ）」、「カメラ撮影情報（撮影日時、時刻、撮影倍率、距離（撮影距離）、輝度等、あるいはＧＰＳによる位置情報等）」、「顔抽出結果」を用いて「シーンの推定」を行うものと認められる。
　そして、
「図６に示すように、セットアップ部７２中に、シーンに応じた画像処理条件の情報を記憶している処理情報記憶部７０を設けておき、そこからそのシーンに応じた画像処理条件の情報を読み出して、これを用いて画像処理条件を設定するようにしてもよい。」（【０１３２】）
　とあり、
　推定されたシーンに基づいて、「画像処理条件を設定する」ものと認められ、
　「シーンが「夜景」や「花火」とされた場合には、コントラストの高い明暗を強調した画像となるように、階調補正テーブル等を設定する。」（【０１３５】）
　とあることから、この画像処理として「階調補正」が認められ、その設定する画像処理条件は「階調補正条件」であると認められる。
　したがって、
　刊行物２記載の「画像処理方法」は、「ストロボ発光の有無や撮影距離等から（記録される）「室内」、「夜」、「風景」等のメッセージ（文書データ）」、「カメラ撮影情報（撮影日時、時刻、撮影倍率、距離（撮影距離）、輝度等、あるいはＧＰＳによる位置情報等）」、「顔抽出結果」を用いて「シーンの推定」を行ない、
　推定されたシーンに基づいて、「階調補正条件を設定する」ものと認められる。
　
　「ファインスキャン処理部４６の処理部５４は、後述する条件設定部４８が設定した処理条件に応じて、スキャナ１２によって読み取られた画像（画像データ）に、所定の画像処理を施す部位で、・・・画像処理には・・・階調補正・・・等が例示される。これらの各画像処理条件は、条件設定部４８において・・・設定される。」（【０１２７】）、
　「画像データ変換部５８は、処理部５４によって処理された画像データ（主プリントの画像データ）を、例えば３Ｄ（三次元）ＬＵＴ等を用いて変換して、プリンタ１６による画像記録に対応する画像データとしてプリンタ１６に供給する。」（【０１２８】）
　から、
　「処理部５４は、」「条件設定部４８が設定した処理条件に応じて」「所定の画像処理を施」し「処理された画像データ」を得るものと認められる。
　そして、上記のように、画像処理として「階調補正」が認められ、その設定する画像処理条件は「階調補正条件」であると認められるから、
　刊行物２記載の「画像処理方法」において、
　「処理部５４は、」「条件設定部４８が設定した「階調補正条件」に応じて」「階調補正を施」し「処理された画像データ」を得るものと認められる。
　
　このようであるから、刊行物２には次の発明（以下、「刊行物２発明」ともいう）が記載されている。
　
［刊行物２発明］
「デジタルカメラやデジタルビデオカメラ等の撮像デバイスや内蔵メモリ、ＰＣカードやスマートメディア等のデジタルカメラ用の画像記録媒体からデジタル画像データやその撮影情報や付加情報を受け取り、所定の画像処理を施す画像処理方法において、
　シーンの推定に用いる、撮影時に各コマ毎に記録された、「ストロボ発光の有無や撮影距離等から（記録される）「室内」、「夜」、「風景」等のメッセージ（文書データ）」、「カメラ撮影情報（撮影日時、時刻、撮影倍率、距離（撮影距離）、輝度等、あるいはＧＰＳによる位置情報等）」を取得し、
　シーンの推定に用いる「顔抽出結果」を取得し、
　「ストロボ発光の有無や撮影距離等から（記録される）「室内」、「夜」、「風景」等のメッセージ（文書データ）」、「カメラ撮影情報（撮影日時、時刻、撮影倍率、距離（撮影距離）、輝度等、あるいはＧＰＳによる位置情報等）」、「顔抽出結果」を用いてシーンの推定を行ない、推定されたシーンに基づいて階調補正条件を設定し、
　処理部５４は、条件設定部４８が設定した階調補正条件に応じて階調補正を施し、処理された画像データを得る
　画像処理方法。」
　
　ウ．対比、一致点相違点
　補正後発明と刊行物２発明とを対比する。
　
　（ア）デジタルカメラにより取得された画像データに対して画像処理を施して処理済み画像データを得る画像処理方法
　
　刊行物２発明は、「デジタルカメラやデジタルビデオカメラ等の撮像デバイスや内蔵メモリ、ＰＣカードやスマートメディア等のデジタルカメラ用の画像記録媒体からデジタル画像データやその撮影情報や付加情報を受け取り、所定の画像処理を施す画像処理方法であって、」「処理部５４は、条件設定部４８が設定した階調補正条件に応じて階調補正を施し、処理された画像データを得る」ものであり、「デジタルカメラや」「デジタルカメラ用の画像記録媒体から」「受け取（り）」った「デジタル画像データ」に「所定の画像処理を施（す）」し、「処理された画像データを得る」から、「デジタルカメラにより取得された画像データに対して画像処理を施して処理済み画像データを得る画像処理方法」ということができる。
　
　（イ）撮影情報取得手段が、前記画像データを取得した撮影時のフラッシュのＯｎ／Ｏｆｆ、撮影距離および撮影倍率を含む撮影情報を取得し
　
　刊行物２発明は、「シーンの推定に用いる、撮影時に各コマ毎に記録された、「ストロボ発光の有無や撮影距離等から（記録される）「室内」、「夜」、「風景」等のメッセージ（文書データ）」、「カメラ撮影情報（撮影日時、時刻、撮影倍率、距離（撮影距離）、輝度等、あるいはＧＰＳによる位置情報等）」を取得」するものであり、取得するから当然に取得手段を有するといえる。
　取得される「ストロボ発光の有無や撮影距離等から（記録される）「室内」、「夜」、「風景」等のメッセージ（文書データ）」、「カメラ撮影情報（撮影日時、時刻、撮影倍率、距離（撮影距離）、輝度等、あるいはＧＰＳによる位置情報等）」は、「撮影時に各コマ毎に記録された」ものであり、デジタルカメラにより取得された画像データの撮影時に得られる情報であるから、画像データを取得した撮影時の撮影情報ということができ、その取得手段は撮影情報取得手段ということができる。そして、取得される撮影情報は、撮影倍率、撮影距離を含む。
　そうであるから、補正後発明と刊行物２発明とは、「撮影情報取得手段が、前記画像データを取得した撮影時の撮影距離および撮影倍率を含む撮影情報を取得し」という点で一致する。
　もっとも、補正後発明では「撮影情報」に「フラッシュのＯｎ／Ｏｆｆ」を含むことに対し、刊行物２発明では「撮影情報」に「フラッシュのＯｎ／Ｏｆｆ」を含まない点で相違する。
　
　（ウ）主要部情報取得手段が、前記画像データにより表される画像における顔の有無および顔が含まれる場合の顔のサイズの情報を含む主要部情報を取得し
　
　刊行物２発明は、「シーンの推定に用いる「顔抽出結果」を取得（し、）」するものであるところ、「各種画像特徴量（顔抽出結果も含む）等」（【０１３３】）とあり、
　一般に、画像特徴量は画像データを処理して得られるものであること、
　一般に、画像データにおける肌色の部分の面積、形状等の画像データの特徴から「顔」の抽出がなされるものであること、
　刊行物２に、
　「人物でないと判定されているエリアについては、顔抽出処理を行わない（オフにする）」（【００８６】）、
　「人物でない、背景であると分かっているエリアについては、最初から顔抽出処理の対象から除外」（【００８６】）、
　「セットアップ部７２は、顔抽出を行って人物の顔を抽出し、」（【０１３４】）、
　「顔領域の抽出方法には、特に限定はなく、公知の顔抽出アルゴリズムを用いることができる。」（【０１３４】）
　とあることから、
　刊行物２発明における「顔抽出結果」の取得は、「デジタルカメラにより取得された画像データ」における「特徴」から「顔」の抽出をおこなうことによって、その「顔」の抽出の「結果」を取得するものといえる。
　また、そのように「顔抽出結果」を取得するのであるから、刊行物２発明は、当然に、「顔抽出結果取得手段」を有するものと認められる。
　補正後発明の「主要部情報取得手段」は、「前記画像データにより表される画像における顔の有無および顔が含まれる場合の顔のサイズの情報を含む主要部情報を取得」するものであり、「顔」に関して、「顔の有無」「顔のサイズの情報」を取得しており、この「顔の有無」「顔が含まれる場合の顔のサイズの情報」は、当然に顔の検出を行って得られる結果であって「顔抽出結果」ということもできるから、補正後発明の「主要部情報取得手段」は、「顔抽出結果」を取得するものともいえ、「顔抽出結果取得手段」ということもできるものである。
　そうであるから、補正後発明と刊行物２発明とはいずれも「顔抽出結果取得手段が、前記画像データにより表される画像における顔抽出結果を取得する」ものといえる。
　もっとも、補正後発明では、「顔抽出結果取得手段」が「主要部情報取得手段」であり、「顔抽出結果」が「顔の有無および顔が含まれる場合の顔のサイズの情報を含む主要部情報」であり、「顔抽出結果を取得」することが「顔の有無および顔が含まれる場合の顔のサイズの情報を含む主要部情報を取得」するものであることに対し、刊行物２発明では、そうでない点で相違する。
　
　（エ）階調処理条件設定手段が、前記撮影情報および前記主要部情報に基づいて推定された前記画像データの撮影シーンに応じた階調処理条件を設定し
　
　　ａ．階調処理条件設定手段
　　刊行物２発明は、「ストロボ発光の有無や撮影距離等から（記録される）「室内」、「夜」、「風景」等のメッセージ（文書データ）」、「カメラ撮影情報（撮影日時、時刻、撮影倍率、距離（撮影距離）、輝度等、あるいはＧＰＳによる位置情報等）」、「顔抽出結果」を用いてシーンの推定を行ない、推定されたシーンに基づいて階調補正条件を設定（し）」するものであるところ、当然に、そのような階調補正条件を設定する「階調補正条件設定手段」を有するものと認められる。
　　そして、刊行物２発明の「階調補正」は「階調処理」といえ、「階調補正条件」は「階調処理条件」といえるから、その「階調補正条件設定手段」は「階調処理条件設定手段」ともいいうるものであり、階調処理条件を設定することにおいて補正後発明の「階調処理条件設定手段」に相当するといえる。
　
　　ｂ．撮影シーン
　　刊行物２発明で推定されるシーンは、「デジタルカメラにより取得された画像データ」の「撮影シーン」といえるものであって、補正後発明の「画像データの撮影シーン」に相当するものである。
　
　　ｃ．撮影シーンに応じた階調処理条件を設定
　　刊行物２発明は、「推定されたシーンに基づいて階調補正条件を設定」するものであり、補正後発明同様に、「画像データの撮影シーンに応じた階調処理条件を設定し」といえる。
　
　　ｄ．撮影情報
　　刊行物２発明では、シーンの推定に「ストロボ発光の有無や撮影距離等から（記録される）「室内」、「夜」、「風景」等のメッセージ（文書データ）」、「カメラ撮影情報（撮影日時、時刻、撮影倍率、距離（撮影距離）、輝度等、あるいはＧＰＳによる位置情報等）」が用いられ、それらは「撮影情報」といえる。したがって、刊行物２発明の「シーン」も補正後発明の「画像データの撮影シーン」同様に、「撮影情報」「に基づいて推定され」るといえる。
　　もっとも、「撮影情報」には、上記（イ）で述べた相違がある。
　
　　ｅ．主要部情報
　　刊行物２発明では、シーンの推定に「顔抽出結果」が用いられる。
　　上記（ウ）で述べたようであるから、補正後発明においても、シーンの推定に「顔抽出結果」が用いられるということができ、
　　補正後発明も刊行物２発明も「画像データの撮影シーン」は「顔抽出結果」「に基づいて推定され」るといえる。
　　もっとも、「顔抽出結果」には、上記（ウ）で述べた相違がある。
　
　　ｆ．小括
　　上記ａ．ないしｅ．のようであるから、
　　補正後発明と刊行物２発明とは、「階調処理条件設定手段が、前記撮影情報および前記顔抽出結果に基づいて推定された前記画像データの撮影シーンに応じた階調処理条件を設定」する点で一致し、
　　「撮影情報」には、上記（イ）で述べた相違があるとともに、
　　「顔抽出結果」には、上記（ウ）で述べた相違がある。
　
　（オ）画像処理手段が、該設定された階調処理条件にしたがって前記画像データに対して画像処理を施して前記処理済み画像データを得る
　
　　刊行物２発明は「処理部５４は、条件設定部４８が設定した階調補正条件に応じて階調補正を施し、処理された画像データを得る」ものであり、「画像処理手段が、該設定された階調処理条件にしたがって前記画像データに対して画像処理を施して前記処理済み画像データを得る」といいうる構成を有している。
　
　（カ）一致点相違点
　以上の対比によると、補正後発明と刊行物２発明との一致点、相違点は次のようである。
　
［一致点］
「デジタルカメラにより取得された画像データに対して画像処理を施して処理済み画像データを得る画像処理方法であって、
　撮影情報取得手段が、前記画像データを取得した撮影時の撮影距離および撮影倍率を含む撮影情報を取得し、
　顔抽出結果取得手段が、前記画像データにより表される画像における顔抽出結果を取得し、
　階調処理条件設定手段が、前記撮影情報および前記顔抽出結果に基づいて推定された前記画像データの撮影シーンに応じた階調処理条件を設定し、
　画像処理手段が、該設定された階調処理条件にしたがって前記画像データに対して画像処理を施して前記処理済み画像データを得ることを特徴とする画像処理方法。」
　
［相違点１］
　補正後発明では「撮影情報」に「フラッシュのＯｎ／Ｏｆｆ」を含むことに対し、刊行物２発明では「撮影情報」に「フラッシュのＯｎ／Ｏｆｆ」を含まない点。
　
［相違点２］
　補正後発明では、「顔抽出結果取得手段」が「主要部情報取得手段」であり、「顔抽出結果」が「顔の有無および顔が含まれる場合の顔のサイズの情報を含む主要部情報」であり、「顔抽出結果を取得」することが「顔の有無および顔が含まれる場合の顔のサイズの情報を含む主要部情報を取得」するものであることに対し、刊行物２発明では、そうでない点。
　
　オ．判断
　（ア）相違点１について
　　刊行物２発明の「ストロボ発光の有無や撮影距離等から（記録される）「室内」、「夜」、「風景」等のメッセージ（文書データ）」の「ストロボ発光の有無」は、補正後発明の「フラッシュのＯｎ／Ｏｆｆ」に相当する。
　　刊行物２発明は、シーンの推定に用いられる「撮影情報」に「「ストロボ発光の有無や撮影距離等から（記録される）「室内」、「夜」、「風景」等のメッセージ（文書データ）」を含むが、「ストロボ発光の有無」は含まない。
　　しかしながら、刊行物２には
　　「従来、画像データの解析のみでなく、撮影シーンを表わす情報（シーン情報）をも取り入れ、様々なシーンに応じた画像処理条件を設定するようにしたものが提案されている。」（【０００８】）、
　　「例えば、特開平１１−２３９２６９号公報には、画像のコマ毎にシーン情報を付与しておき、前記画像とともにシーン情報を取得して、プリント処理時にシーン別に最適化された画像処理アルゴリズムを採用し、このシーン情報に応じて、画像処理条件を設定するようにしたものが開示されている。なお、ここで、このシーン情報は、例えば、人物、花、風景、夜景、室内、花火、雪、夕日、静物等が例示され、撮影時に、撮影者がカメラから指定して、フィルムの各コマの画像領域外に磁気的もしくは光学的に記録することによって付与される。」（【０００９】）
　　とあって、従来から「人物、花、風景、夜景、室内、花火、雪、夕日、静物等」はシーンとされており、それと同様の「「室内」、「夜」、「風景」等」である刊行物２発明の「メッセージ（文書データ）」は、刊行物２においてそれ自体がシーンともいえるものである。
　　そして、「「室内」、「夜」、「風景」等のメッセージ（文書データ）」は、「ストロボ発光の有無や撮影距離等から（記録される）」のであるから、「ストロボ発光の有無」は、カメラ側でそのシーンともいえる「「室内」、「夜」、「風景」等のメッセージ（文書データ）」を推定するのに用いられているといえ、その「「室内」、「夜」、「風景」等のメッセージ（文書データ）」を用いて「画像データの撮影シーン」の推定をするから、、刊行物２発明において「画像データの撮影シーン」の推定に「ストロボ発光の有無」が間接的に用いられていることが理解できる。
　
　　刊行物２には、
　　「シーンの推定にあたり、メッセージ情報の他に、カメラ撮影情報（撮影日時、時刻、撮影倍率、距離、輝度等、あるいはＧＰＳによる位置情報等）や各種画像特徴量（顔抽出結果も含む）等と組み合わせて、シーンの推定を行うようにするとよりシーン推定の確度が向上する。」（【０１３３】）
　　とあって、刊行物２では、シーン推定の確度の向上を様々な情報の組み合わせで図ることが示唆されているといえ、「ストロボ発光の有無」と同じくカメラ側でシーンといえる「「室内」、「夜」、「風景」等のメッセージ（文書データ）」を推定するのに用いられている「撮影距離」も、この「メッセージ（文書データ）」とは別に記録されて画像処理側で取得するようにされていることから、
　　シーン推定の確度の向上を様々な情報の組み合わせで図るために、「撮影距離」と同じく「ストロボ発光の有無」も記録して画像処理側で取得するようになすことは、当業者が容易に想到できることである。
　　そうであるから、刊行物２発明の「撮影情報」に「ストロボ発光の有無」すなわち「フラッシュのＯｎ／Ｏｆｆ」をも含むようにして、補正後発明の相違点１に係る構成とすることは当業者が容易に想到できることといえる。
　
　（イ）相違点２について
　　刊行物２には
　　「画像処理条件としては、例えば、メッセージ情報から人物を撮影したものと推定された場合には、セットアップ部７２は、顔抽出を行って人物の顔を抽出し、特に、顔領域の肌色が美しく仕上がるように、各種の画像処理条件を設定する。一般に、固有名詞がある場合には、主要被写体抽出を行うようにする。ここで、顔領域の抽出方法には、特に限定はなく、公知の顔抽出アルゴリズムを用いることができる。」（【０１３４】）
　　とあり、刊行物２では「顔」が「主要被写体」でもあると認識されていると理解でき、一般にも、人物の顔が主要被写体とされることが普通である（例えば、刊行物５（特開平１１−８６０２１号公報）に「従来の直接露光のフォトプリンタでも、主要部情報は重要である。すなわち、プリントを受け取るユーザは、主要部（多くの場合は顔）の色／濃度が適正であれば、ある程度満足するので、・・・」（【０００８】））ことから、刊行物２発明において、「顔抽出結果取得手段」を「主要部情報取得手段」とすることは、当業者が容易に想到できることである。
　
　　また、シーン判別に当たり、「顔が含まれる場合の顔のサイズの情報」を用いることは、次の周知例の記載のように周知の事項である。
　
（周知例の記載）
　・刊行物４（特開２００１−２２２７１０号公報）
　　「シーン判別部６０におけるシーン判別の方法には特に限定はなく、撮影条件、画像解析、画像特徴量等をパラメータとして用いた、各種の方法が利用可能である。」（【００３３】）、
　　「パラメータとしては、例えば、フラッシュ撮影か否か、顔候補の抽出結果（中央にある、形状等）ならびに顔候補領域の色／濃度、露光状態（例えばアンダーやオーバ  一例として、人物ハイコンシーンはアンダーが多い）、濃度ヒストグラムの形状（濃度分布）、および画像の最大濃度および最低濃度（画像コントラスト）などの画像特徴量等が例示される。」（【００３４】）、
　　「これらをパラメータとしたシーン判別方法としては、例えば、適宜設定された所定条件が当てはまる画像（フラシュ撮影で、かつ、顔が中央に有る、あるいは顔面積が全体の所定％以上等）を人物ハイコンシーンと判別する方法が例示される。」（【００３５】）
　　とあり、
　　「顔面積が全体の所定％以上」とあって、当然に「「顔が含まれる場合」といえるから、「顔が含まれる場合の顔のサイズの情報」を用いているといえる。
　
　・刊行物５（特開平１１−８６０２１号公報）
　　「オペレータの指示に応じた、あるいは自動抽出による、主要部の抽出結果は、・・・」（【００３４】）、
　　「設定部６６は、出力用の画像処理条件の設定時には、プレスキャンデータに加え、さらに指示（抽出）された主要部および画像データを加味して、画像処理条件を決定する。」（【００３８】）、
　　「指示された主要部が人物の顔で、その領域が所定値よりも大きい場合には、この画像を人物のアップシーンであるとして、通常の画像処理よりも、階調を柔らかく、シャープネスが控え目となるように画像処理条件を設定する。」（【００３９】）、
　　「指示された主要部が人物の顔で、かつ顔が中サイズ（所定サイズ範囲）の場合には、この画像を記念写真あるいはそれに準ずるシーンであるとして、通常の標準的な画像処理条件を設定する。」（【００３９】）、
　　「指示された主要部が人物や人物の顔以外である場合、あるいは主要部が指示されなかった場合には、この画像は風景写真であるとして、階調を固めにし、シャープネスを強めに設定する。」（【００３９】）
　　とあって、「主要部が人物の顔で・・・」「主要部が人物や人物の顔以外である場合・・・」とされるから、「顔の有無」の情報を用いているといえる。また、「主要部が人物の顔で、その領域が所定値よりも大きい場合には、この画像を人物のアップシーンであるとして、」、「主要部が人物の顔で、かつ顔が中サイズ（所定サイズ範囲）の場合には、この画像を記念写真あるいはそれに準ずるシーンであるとして」とされることから、「顔が含まれる場合の顔のサイズの情報」を用いているといえる。
（周知例の記載、以上）
　
　　このように、シーン判別に当たり、「顔が含まれる場合の顔のサイズの情報」を用いることは、周知の事項であるといえ、上記のように、刊行物２発明において、「顔抽出結果取得手段」を「主要部情報取得手段」とする際に、シーン判別に用いために取得する情報として、上記周知の「顔が含まれる場合の顔のサイズの情報」を取得するようにすることは、当業者が容易に想到できることであるといえるところ、「顔が含まれる場合の顔のサイズの情報」は「顔」が有ることにより得られる情報であって、「顔」が無い場合にはその情報を得られないのは当然であり、刊行物５のように、「顔の有無」の情報が付随するものと認められ、
　　刊行物２にも、
　　「具体的に人物の名前が呼ばれている場合、人物を撮影したものと推定する。」（【０１３３】）、
　　「メッセージ情報から人物を撮影したものと推定された場合には、・・・」（【０１３４】）、
　　「例えばシーンが「風景」とされた場合には、・・・シーンが「夜景」や「花火」とされた場合には、・・・」（【０１３５】）、
　　とあるように、「人物を撮影したもの」として、主として人物を撮影対象としたシーン、「風景」「夜景」「花火」として、主として人物以外を撮影対象としたシーンが記載されていて、刊行物２において人物の有無が画像処理条件の設定に影響することが理解されるから、
　　刊行物２発明において、シーン判別に当たり、人物の有無を考慮して、「顔が含まれる場合の顔のサイズの情報」を用いるに際して「顔の有無」の情報も用いるようにすることは、当業者が容易に想到できることである。
　
　　そうであるから、刊行物２発明において、「顔抽出結果取得手段」を「主要部情報取得手段」とし、「顔抽出結果」を「顔の有無および顔が含まれる場合の顔のサイズの情報を含む主要部情報」とし、「顔抽出結果を取得」することが「顔の有無および顔が含まれる場合の顔のサイズの情報を含む主要部情報を取得」することにすることで、補正後発明の相違点２に係る構成とすることは、当業者が容易に想到できることといえる。
　
　（ウ）総合
　　以上のように、補正後発明の相違点１ないし２に係る構成はそれぞれ当業者が容易に想到できることといえるところ、それらを総合して得られる構成が補正後発明の効果を奏することも予測できるものといえるから、補正後発明は、刊行物２に記載された発明および周知の事項に基づいて当業者が容易に発明をすることができたものであり、特許法第２９条第２項の規定により特許を受けることができない。したがって、補正後発明は特許出願の際独立して特許を受けることができるものということができない。
　
　　なお、請求人は、「近接ストロボという特定の撮影シーン」に対して適切な処理が行える旨の主張をするが、補正後の請求項１（補正後発明）は、「近接ストロボという特定の撮影シーン」を特定しておらず、請求人の主張は請求項の記載に基づかない主張といえ、採用できない。
　
　カ．補正の適否まとめ
　以上のとおり、平成１９年７月２５日付けの手続補正で補正する補正後の請求項１に係る発明は、特許法第２９条第２項の規定により特許を受けることができず、特許出願の際独立して特許を受けることができるものということができないから、平成１９年７月２５日付けの手続補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　よって、補正却下の決定の結論のとおり、決定する。
　
３．本願発明
　上記のように平成１９年７月２５日付けの手続補正は却下する。
　したがって、本件出願の請求項１ないし９に係る発明は、平成１８年１２月４日付けで補正された特許請求の範囲の請求項１ないし９に記載されたとおりのものであり、そのうち、請求項１に係る発明（以下、本願発明という）は、次のとおりである。
　
［本願発明］
　「デジタルカメラにより取得された画像データに対して画像処理を施して処理済み画像データを得る画像処理方法において、
　撮影情報取得手段が、前記画像データを取得した撮影時のフラッシュのＯｎ／Ｏｆｆ、撮影距離および撮影倍率の少なくとも１つを含む撮影情報を取得し、
　主要部情報取得手段が、前記画像データにより表される画像における顔の有無および顔が含まれる場合の顔のサイズの情報を含む主要部情報を取得し、
　階調処理条件設定手段が、前記撮影情報および前記主要部情報に基づいて推定された前記画像データの撮影シーンに応じた階調処理条件を設定し、
　画像処理手段が、該設定された階調処理条件にしたがって前記画像データに対して画像処理を施して前記処理済み画像データを得ることを特徴とする画像処理方法。」
　
４．対比、一致点相違点
　刊行物２には、上記２．（２）イ．で述べた発明（刊行物２発明）が記載されている。
　本願発明と補正後発明とは、上記２．（１）で述べた関係にあるから、上記２．（２）ウ．を援用して本願発明と刊行物１発明とを対比すると、補正後発明で「撮影情報取得手段が、」「取得（し、）」する「撮影情報」が「前記画像データを取得した撮影時のフラッシュのＯｎ／Ｏｆｆ、撮影距離および撮影倍率」「を含む」としていることに対し、本願発明が、「前記画像データを取得した撮影時のフラッシュのＯｎ／Ｏｆｆ、撮影距離および撮影倍率」について、「少なくとも１つを含む」としているのであるから、取得される撮影情報として、撮影倍率、撮影距離を含む刊行物２発明は、本願発明同様に「撮影情報取得手段が、前記画像データを取得した撮影時のフラッシュのＯｎ／Ｏｆｆ、撮影距離および撮影倍率の少なくとも１つを含む撮影情報を取得し、」ということができるものであり、補正後発明と刊行物２発明との相違点１は、本願発明と刊行物２発明との間に存在しない。
　したがって、本願発明と刊行物１発明との一致点、相違点は次のようである。
　
［一致点］
「デジタルカメラにより取得された画像データに対して画像処理を施して処理済み画像データを得る画像処理方法であって、
　撮影情報取得手段が、前記画像データを取得した撮影時のフラッシュのＯｎ／Ｏｆｆ、撮影距離および撮影倍率の少なくとも１つを含む撮影情報を取得し、
　顔抽出結果取得手段が、前記画像データにより表される画像における顔抽出結果を取得し、
　階調処理条件設定手段が、前記撮影情報および前記顔抽出結果に基づいて推定された前記画像データの撮影シーンに応じた階調処理条件を設定し、
　画像処理手段が、該設定された階調処理条件にしたがって前記画像データに対して画像処理を施して前記処理済み画像データを得ることを特徴とする画像処理方法。」
　
［相違点］
　補正後発明では、「顔抽出結果取得手段」が「主要部情報取得手段」であり、「顔抽出結果」が「顔の有無および顔が含まれる場合の顔のサイズの情報を含む主要部情報」であり、「顔抽出結果を取得」することが「顔の有無および顔が含まれる場合の顔のサイズの情報を含む主要部情報を取得」するものであることに対し、刊行物２発明では、そうでない点。
　
５．判断
　上記相違点は、補正後発明と刊行物２発明との相違点２と同じであり、
補正後発明と刊行物２発明との相違点２と同じく判断されるから、上記２．（２）オ．（イ）を援用して判断すると、
　刊行物２発明において、「顔抽出結果取得手段」を「主要部情報取得手段」とし、「顔抽出結果」を「顔の有無および顔が含まれる場合の顔のサイズの情報を含む主要部情報」とし、「顔抽出結果を取得」することが「顔の有無および顔が含まれる場合の顔のサイズの情報を含む主要部情報を取得」することにすることで、補正後発明の相違点２に係る構成とすることは、当業者が容易に想到できることといえる。
　
　以上のように、本願発明の相違点に係る構成は当業者が容易に想到できることといえるところ、そのようにして得られる構成が本願発明の効果を奏することも予測できるものといえるから、本願発明は、刊行物２に記載された発明および周知の事項に基づいて当業者が容易に発明をすることができたものであり、特許法第２９条第２項の規定により特許を受けることができない。
　
６．むすび
　以上のとおり、本件出願の請求項１に係る発明は、特許法第２９条２項の規定により特許を受けることができない。
　したがって、残る請求項２ないし９に係る発明について特に検討をするまでもなく、本件出願は拒絶をすべきものである。
　よって、結論のとおり審決する。